(57)【要約】【課題】  安定的に車内のシート部に固定するチャイルドシートを提供する。【解決手段】  背凭れ部５２及び該背凭れ部５２と連結する座部５１を有し、該座部５１の下部に底面の固定プレート５４を有するベース５３が設けられ、該固定プレート５４の底面に複数の固定部材１０が設けられるチャイルドシートであって、前記固定部材１０は上ベルト２１と下ベルト３６を備えるベルト部材２０と、下ベルト３６に枢設される位置決め部材４０とを有し、上ベルトの一端が固定プレートの底面に連結されると共に、他端が下ベルトと連結され、前記位置決め部材は下ベルトに枢設されると共に、一端に枢設点４３を有する第一プレート４１と、該第一プレート４１と枢設点４３で枢設する第二プレート４２とを有する構成とした。【選択図】  図１
0003106755.tif 000002
【実用新案登録請求の範囲】
【請求項１】
背凭れ部及び該背凭れ部と連結する座部を有し、該座部の下部に底面の固定プレートを有するベースが設けられ、該固定プレートの底面に複数の固定部材が設けられるチャイルドシートであって、
前記固定部材は上ベルトと下ベルトを備えるベルト部材と、下ベルトに枢設される位置決め部材とを有し、上ベルトの一端が固定プレートの底面に連結されると共に、他端が下ベルトと連結され、
前記位置決め部材は下ベルトに枢設されると共に、一端に枢設点を有する第一プレートと、該第一プレートと枢設点で枢設する第二プレートと有することを特徴とするチャイルドシート。
【請求項２】
背凭れ部及び該背凭れ部と連結する座部を有し、該座部の下部に底面の固定プレートを有するベースが設けられ、該固定プレートの底面に複数の固定部材が設けられるチャイルドシートであって、
前記固定部材は上ベルトと下ベルトを備えるベルト部材と、下ベルトに枢設される位置決め部材とを有し、上ベルトの一端が固定プレートの底面に連結されると共に、他端が下ベルトと連結され、
前記位置決め部材はフック状であることを特徴とするチャイルドシート。
【請求項３】
前記上ベルト一端が一つの吊りリングの吊り孔と調整部材を巻き回ると共に、他端が前記固定プレートの底面における引掛けリングに引掛け、
前記調整部材は第一引掛け孔、第二引掛け孔、第一引掛け孔と第二引掛け孔との間に設けられる第一引掛けロッドと第二引掛けロッドを有し、
前記ベースの固定プレートの底部に引掛けリングが設けられることを特徴とする請求項１又は２に記載のチャイルドシート。
【考案の詳細な説明】
【技術分野】
【０００１】
本考案は、特に安定的に車内のシート部に固定するチャイルドシートに関するものである。
【背景技術】
【０００２】
図７に示すように、従来のチャイルドシート５０は、シート本体５１が車内のシート部６０の座部６１に設けられ、シートベルト６３はチャイルドシート５０の背凭れ部５２及び座部５１に貫通された後、シート部６０の側部における係止部材（符号なし）と係止されるようになっている。
【考案の開示】
【考案が解決しようとする課題】
【０００３】
しかしながら、急ブレーキの際には、前記従来のチャイルドシート５０は不安定であることから、車の前方へ移動することがあり、この時の移動によってチャイルドシート５０における乳児や幼児の首に非常に大きな衝撃を与えてしまう恐れがある。
【０００４】
そこで、案出されたのが本考案であって、安定的に車内のシート部に固定できるチャイルドシートを提供することを目的としている。
【課題を解決するための手段】
【０００５】
本願の請求項１の考案は、背凭れ部及び該背凭れ部と連結する座部を有し、該座部の下部に底面の固定プレートを有するベースが設けられ、該固定プレートの底面に複数の固定部材が設けられるチャイルドシートであって、前記固定部材は上ベルトと下ベルトを備えるベルト部材と、下ベルトに枢設される位置決め部材とを有し、上ベルトの一端が固定プレートの底面に連結されると共に、他端が下ベルトと連結され、前記位置決め部材は下ベルトに枢設されると共に、一端に枢設点を有する第一プレートと、該第一プレートと枢設点で枢設する第二プレートと有することを特徴とする。
【０００６】
本願の請求項２の考案は、背凭れ部及び該背凭れ部と連結する座部を有し、該座部の下部に底面の固定プレートを有するベースが設けられ、該固定プレートの底面に複数の固定部材が設けられるチャイルドシートであって、前記固定部材は上ベルトと下ベルトを備えるベルト部材と、下ベルトに枢設される位置決め部材とを有し、上ベルトの一端が固定プレートの底面に連結されると共に、他端が下ベルトと連結され、前記位置決め部材はフック状であることを特徴とする。
【０００７】
本願の請求項３の考案は、請求項１又は２に記載のチャイルドシートにおいて、前記上ベルト一端が一つの吊りリングの吊り孔と調整部材を巻き回ると共に、他端が前記固定プレートの底面における引掛けリングに引掛け、前記調整部材は第一引掛け孔、第二引掛け孔、第一引掛け孔と第二引掛け孔との間に設けられる第一引掛けロッドと第二引掛けロッドを有し、前記ベースの固定プレートの底部に引掛けリングが設けられることを特徴とする。
【考案の効果】
【０００８】
本考案は上記の課題を解決するものであり、位置決め部材を座部と車両の底部との間に挿入し、調整部材によって上ベルトの長さを調整させると共に、ベルト部材を座部に密接する或いはフック状の位置決め部材とシート部の底部におけるガイド部の孔との結合することにより、チャイルドシートの移動を抑えると共に、チャイルドシートを安定的にシート部の座部に設置するので、乳児や幼児の乗車時の安全性を高めることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係るチャイルドシートに係る第１実施例を示すもので、車内のシート部に固定した状態を示す側面図であり、図２は本考案に係るチャイルドシートの固定部材を示す斜視図であり、図３は本考案に係るチャイルドシートの位置決め部材を示す斜視図であり、図４は本考案に係るチャイルドシートのベルト部材と調整部材を示す断面図であり、図５〜図６は本考案に係るチャイルドシートを車内のシート部に固定した他の使用状態を示す側面図である。
【００１１】
図１に示すように、本考案に係るチャイルドシート５０は背凭れ部５２及び該背凭れ部５２と連結する座部５１を有し、該座部５１の下部底面に固定プレート５４を有するベース５３が設けられ、該固定プレート５４の底面には、チャイルドシート５０の移動を抑えるために複数の固定部材１０が設けられる。
【００１２】
図１乃至図３に示すように、前記固定部材１０は上ベルト２１と下ベルト３６を備えるベルト部材２０と、下ベルト３６に枢設される位置決め部材４０，４０’とを有する。
前記上ベルト２１の一端が固定プレート５４の底面に連結されると共に、他端が下ベルト３６と連結され、該下ベルト３６の下端の一側に位置決め部材４０が設けられると共に、他側に他の位置決め部材４０’が設けられる。  
【００１３】
前記位置決め部材４０は下ベルト３６に枢設されると共に、一端に枢設点４３を有する第一プレート４１と、該第一プレート４１と枢設点４３で枢設する第二プレート４２と有するにより、枢設点４３を回転中心として第一プレート４１が第二プレート４２に対して回動することができる。又、前記位置決め部材４０’はフック形状となっている。
【００１４】
又、図２及び図４に示すように、前記上ベルト２１は長さが調整可能であり、その一端が一つの吊りリング３５の吊り孔３５１と一つの調整部材３０を巻き回ると共に、他端が前記固定プレート５４の底面における引掛けリング１１に捲き回して状態に連結されている。前記調整部材３０は第一引掛け孔３１、第二引掛け孔３２、第一引掛け孔３１と第二引掛け孔３２との間に設けられる第一引掛けロッド３３と第二引掛けロッド３３１を有する従来公知の形状のものである。
【００１５】
以上のように構成された、図１及び図３に示す本考案に係るチャイルドシート５０を使用する場合、チャイルドシート５０の固定プレート５４を車両のシート部６０の座部６１に設置させ、枢設点４３を回転中心として第二プレート４２と第一プレート４１を回転させ、位置決め部材４０を座部６１と車両の底部７０との間に挿入し、調整部材３０によって上ベルト２１の長さを調整させると共に、ベルト部材２０を座部６１に密接することにより、チャイルドシート５０の移動を抑える。
【００１６】
図５に示すように、本考案に係るチャイルドシート５０はフック状の位置決め部材４０’とシート部６０の底部におけるガイド部６４の孔６４１との結合することにより、チャイルドシート５０の移動を抑えることができる。
【００１７】
又、図６に示すように、本考案に係るチャイルドシート５０は固定プレート５４の前、後に夫々設けられるベルト部材２０の繋ぎにより、座部６１に固定することができる。
【産業上の利用可能性】
【００１８】
本考案は上記の構成を有するので、位置決め部材を座部と車両の底部との間に挿入し、調整部材によって上ベルトの長さを調整させると共に、ベルト部材を座部に密接する或いはフック形状の位置決め部材とシート部の底部におけるガイド部の孔との結合することにより、チャイルドシートの移動を抑えると共に、チャイルドシートを安定的にシート部の座部に設置するので、乳児や幼児の乗車時の安全性を高めることができる。
【図面の簡単な説明】
【００１９】
【図１】本考案に係るチャイルドシートの実施例を示し、チャイルドシートを車内のシート部に固定した状態を示す側面図である。
【図２】本考案に係るチャイルドシートの固定部材を示す斜視図である。
【図３】本考案に係るチャイルドシートの位置決め部材を示す斜視図である。
【図４】本考案に係るチャイルドシートのベルト部材と調整部材を示す断面図である。
【図５】本考案に係るチャイルドシートを車内のシート部に固定した他の使用状態を示す側面図である。
【図６】本考案に係るチャイルドシートを車内のシート部に固定した他の使用状態を示す側面図である。
【図７】従来のチャイルドシートの使用状態を示す側面図である。
【符号の説明】
【００２０】
１０        固定部材
１１        引掛けリング
２０        ベルト部材
２１        上ベルト
３０        調整部材
３１        第一引掛け孔
３２        第二引掛け孔
３３        第一引掛けロッド
３３１      第二引掛けロッド
３５        吊りリング
３５１      吊り孔
３６        下ベルト
４０、４０’  位置決め部材
４１        第一プレート
４２        第二プレート
４３        枢設点
５０        チャイルドシート
５１        座部
５２        背凭れ部
５３        ベース
５４        固定プレート
６０        シート部
６１        座部
６２        背凭れ部
６３        シートベルト
６４        ガイド部
６４１      孔
７０        底部
【図１】
0003106755.tif 000003
【図２】
0003106755.tif 000004
【図３】
0003106755.tif 000005
【図４】
0003106755.tif 000006
【図５】
0003106755.tif 000007
【図６】
0003106755.tif 000008
【図７】
0003106755.tif 000009